(57)【特許請求の範囲】
【請求項１】
データの入出力を互いに排他的に行う第１インターフェース及び第２インターフェース、データが記憶される記憶部、及び前記第１インターフェースから入力されたデータを処理して前記記憶部に出力する演算処理部を有するＩＣチップと、
非接触によってデータを少なくとも受信し、受信したデータを前記第１インターフェースに向けて送る非接触通信用アンテナと、
前記非接触通信用アンテナから前記第１インターフェースへのデータの送信の許可と制限とを切り換える切り換え部と、
伝送されてきた電力によって駆動される表示部と、
伝送されてきた電力によって動作し、前記第２インターフェースを介した前記演算処理部とのデータの入出力が可能になると、前記記憶部に記憶されているデータを取得し、取得したデータを基に前記表示部の表示内容を制御する制御部と、
非接触によって給電されて、給電された電力を前記表示部と前記制御部とに伝送する電力伝送用アンテナと、を備え、
前記切り換え部によって前記非接触通信用アンテナから前記第１インターフェースへのデータの送信が制限されると前記第２インターフェースは前記制御部と電気的に接続され、前記切り換え部によって前記送信の制限が解除されても前記第２インターフェースと前記制御部との電気的な接続が維持されることを特徴とする非接触通信媒体。
【請求項２】
前記演算処理部は、前記第１インターフェースから入力されたデータに対し予め設定された演算処理を施して前記記憶部に出力し、
前記制御部は、前記記憶部から取得した前記演算処理部が前記演算処理を施したデータを基に、前記表示部の表示内容を制御することを特徴とする請求項１に記載の非接触通信媒体。
【請求項３】
前記切り換え部は、外部からの操作に応じて前記切り換えを行うことを特徴とする請求項１又は２に記載の非接触通信媒体。
【請求項４】
前記切り換え部は、予め設定された条件を満たしたときに前記データの送信の許可状態を制限することを特徴とする請求項１又は２に記載の非接触通信媒体。
【請求項５】
前記表示部は、前記電力の伝送が停止されると表示内容を保持することを特徴とする請求項１乃至４の何れか１項に記載の非接触通信媒体。
【請求項６】
前記非接触通信用アンテナは、前記電力伝送用アンテナを兼ねることを特徴とする請求項１乃至５の何れか１項に記載の非接触通信媒体。
【請求項７】
前記制御部は、前記切り換え部が前記データの送信の許可状態を制限したときに前記第２インターフェースに電力を供給して前記第２インターフェースをデータの入出力が可能な状態にすることを特徴とする請求項１乃至６の何れか１項に記載の非接触通信媒体。
【発明の詳細な説明】
【技術分野】
【０００１】
本発明は、非接触によって外部との通信を行う技術に関する。
【背景技術】
【０００２】
従来、ディスプレイ付のＩＣカードとしては、カード型ワンタイムパスワード生成器がある（例えば特許文献１参照）。このようなＩＣカードは、内部電源から電源を供給し表示部を駆動していた。
【先行技術文献】
【特許文献】
【０００３】
【特許文献１】特開２０１０−２５７４２２号公報
【発明の概要】
【発明が解決しようとする課題】
【０００４】
しかし、ＩＣカードの構成を簡単なものにすることやコスト低減等から内部電源なしに表示部を駆動させることが望まれる。
そこで、本発明の目的は、バッテリーレスで表示部を駆動できるＩＣカードを提供することである。
【課題を解決するための手段】
【０００５】
前記課題を解決するために、本発明の一態様では、データの入出力を互いに排他的に行う第１インターフェース及び第２インターフェース、データが記憶される記憶部、及び前記第１インターフェースから入力されたデータを処理して前記記憶部に出力する演算処理部を有するＩＣチップと、非接触によってデータを少なくとも受信し、受信したデータを前記第１インターフェースに向けて送る非接触通信用アンテナと、前記非接触通信用アンテナから前記第１インターフェースへのデータの送信の許可と制限とを切り換える切り換え部と、伝送されてきた電力によって駆動される表示部と、伝送されてきた電力によって動作し、前記第２インターフェースを介した前記演算処理部とのデータの入出力が可能になると、前記記憶部に記憶されているデータを取得し、取得したデータを基に前記表示部の表示内容を制御する制御部と、非接触によって給電されて、給電された電力を前記表示部と前記制御部とに伝送する電力伝送用アンテナと、を備え、前記切り換え部によって前記非接触通信用アンテナから前記第１インターフェースへのデータの送信が制限されると前記第２インターフェースは前記制御部と電気的に接続され、前記切り換え部によって前記送信の制限が解除されても前記第２インターフェースと前記制御部との電気的な接続が維持される。
【０００６】
また、本発明の一態様では、前記演算処理部は、前記第１インターフェースから入力されたデータに対し予め設定された演算処理を施して前記記憶部に出力し、前記制御部は、前記記憶部から取得した前記演算処理部が前記演算処理を施したデータを基に、前記表示部の表示内容を制御することが好ましい。
また、本発明の一態様では、前記切り換え部は、外部からの操作に応じて前記切り換えを行うことが好ましい。
【０００７】
また、本発明の一態様では、前記切り換え部は、予め設定された条件を満たしたときに前記データの送信の許可状態を制限することが好ましい。
また、本発明の一態様では、前記表示部は、前記電力の伝送が停止されると表示内容を保持することが好ましい。
また、本発明の一態様では、前記非接触通信用アンテナは、前記電力伝送用アンテナを兼ねることが好ましい。
また、本発明の一態様では、前記制御部は、前記切り換え部が前記データの送信の許可状態を制限したときに前記第２インターフェースに電力を供給して前記第２インターフェースをデータの入出力が可能な状態にすることが好ましい。
【発明の効果】
【０００８】
本発明によれば、非接触通信用アンテナから第１インターフェースへのデータの送信が許可されている状態を切り換え部によって制限することで、前記送信が許可されている期間中に第１インターフェースを介して入力され記憶部に記憶されているデータを基に、電力伝送用アンテナからの電力によって駆動されている表示部の表示内容を制御できる。これによって、本発明によれば、リーダライタからの供給電力のみでバッテリレスで表示部を駆動し、当該リーダライタからのデータを基に表示部の表示内容を制御できる。
【図面の簡単な説明】
【０００９】
【図１】本実施形態のＩＣカードの構成例を示すブロック図である。
【図２】本実施形態のＩＣカードの外観構成の一例を示す図である。
【図３】ＩＣカードにおける一連の動作の一例を示すフローチャートである。
【図４】本実施形態の変形例のＩＣカードの構成例を示すブロック図である。
【図５】本実施形態の変形例のＩＣカードの他の構成例を示すブロック図である。
【発明を実施するための形態】
【００１０】
本発明の実施形態を図面を参照しつつ説明する。
本実施形態では、非接触通信媒体としてＩＣカードを挙げている。非接触ＩＣカードとしては、一般的には、通信方式の違いによってＩＳＯ／ＩＥＣ１４４４３で規定されているＴｙｐｅ  Ａ、Ｔｙｐｅ  Ｂや、ＩＳＯ／ＩＥＣ １８０９２等のカードがある。例えば、本実施形態のＩＣカードは、ＩＳＯ／ＩＥＣ １８０９２で規定している通信方式を採用したＦｅｌｉＣａ（登録商標）等である。
【００１１】
図１は、本実施形態のＩＣカード１の構成例を示すブロック図である。
図１に示すように、ＩＣカード１は、非接触通信用アンテナ２、電源確保用アンテナ３、整流回路４、表示部５、押圧ボタン６、スイッチ７、制御マイコン１０、及びＩＣチップ２０を有している。
非接触通信用アンテナ２は、外部のリーダライタと非接触で通信を行うアンテナである。この非接触通信用アンテナ２は、外部のリーダライタから出ている電磁波を受信しエネルギーに変換し、電源をＩＣチップ２０側に供給するとともに外部のリーダライタとの非接触無線通信で生じた電流（データが変調された電流）をＩＣチップ２０側に出力する。例えば、非接触通信用アンテナ２は、巻き線アンテナやエッチングアンテナ、印刷アンテナである。そして、この非接触通信用アンテナ２は、スイッチ７のＯＮ及びＯＦＦが切り換えられることによって、ＩＣチップ２０の非接触インターフェース２１との電気的な接続状態が断続される。
【００１２】
電源確保用アンテナ（マイコン電源確保用アンテナともいう。）３は、外部のリーダライタとの非接触通信によって当該リーダライタから電力が給電されるアンテナである。この電源確保用アンテナ３は、整流回路４に電気的に接続されている。
整流回路４は、電源確保用アンテナ３からの高周波信号を整流して直流電流（電力）を制御マイコン１０に供給する。
【００１３】
制御マイコン１０は、ＩＣカード１について各種処理を行う。この制御マイコン１０は、整流回路４から供給（伝送）される電力によって動作する。また、制御マイコン１０は、ＩＣチップ２０の接触インターフェース２２と電気的に接続可能とされている。制御マイコン１０は、接触インターフェース２２と電気的に接続されると、当該接触インターフェース２２を介して非接触ＯＳ２３とでデータのやりとりを行う。また、制御マイコン１０は、表示部５の表示内容を制御するための表示制御部１１を有している。
【００１４】
表示制御部１１は、整流回路４から供給される電力によって表示部５に電圧を印加して表示部５を駆動する。そして、表示制御部１１は、後述のように、接触インターフェース２２を介して取得したＩＣチップ２０のメモリ２５に記憶されているデータを基に、駆動した表示部５の表示内容を制御する。
表示部５は、各種情報を表示する。この表示部５は、制御マイコン１０のＩ／Ｏ端子１２に接続されており、制御マイコン１０から供給される電力（電圧の印加）によって駆動される。表示部５は、不揮発性の表示装置で構成することにより電力の供給が停止されても表示内容を保持することができる。例えば、表示部５は、電気泳動方式や強誘電液晶、コレステリック液晶等の電子ペーパー、エレクトロクロミック液晶等で構成される。
押圧ボタン６は、外部からの押圧操作が可能となるようにＩＣカード１に配置されている。スイッチ７は、この押圧ボタン６の押圧状態に応じてＯＮ及びＯＦＦされる物理スイッチとなる。
【００１５】
非接触通信用アンテナ２とＩＣチップ２０の非接触インターフェース２１とは入出力端子それぞれによって接続されているため、このスイッチ７は、それら入出力端子間に短絡スイッチとして配置されている。これによって、スイッチ７は、押圧ボタン６が押圧されていない状態でＯＦＦとなり、入出力端子間を短絡せずに非接触通信用アンテナ２とＩＣチップ２０の非接触インターフェース２１とを電気的に接続する。これによって、非接触インターフェース２１を介して、非接触通信用アンテナ２とＩＣチップ２０の非接触ＯＳとの間でのデータのやりとりが可能になる。一方、スイッチ７は、押圧ボタン６が押圧されるとＯＮとなり、入出力端子間を短絡して非接触通信用アンテナ２とＩＣチップ２０の非接触インターフェース２１との電気的な接続状態を切断する。
【００１６】
ＩＣチップ２０は、２つのインターフェースを有している。例えば、ＩＣチップ２０は、非接触又は接触によって外部との通信を可能にするＩＣカード、いわゆるデュアルインターフェースカードに搭載される、いわゆるデュアルチップである。デュアルチップは、２つのインターフェースを介して１つのメモリにアクセスできるように構成されたＩＣチップである。なお、デュアルインターフェースカードは、複合ＩＣカード、コンビネーションＩＣカードとも称される場合がある。
このようなデュアルチップであるＩＣチップ２０は、非接触インターフェース２１、接触インターフェース２２、非接触ＯＳ２３、接触ＯＳ２４、及びメモリ２５を有している。
【００１７】
非接触インターフェース２１は、スイッチ７のＯＮ及びＯＦＦが切り換えられることによって、非接触通信用アンテナ２との電気的な接続状態が断続される。
接触インターフェース２２は、ＩＣチップ２０のＩ／Ｏ端子２６に接続されて、このＩ／Ｏ端子２６を介して制御マイコン１０が接続されている。なお、後述するように、接触インターフェース２２は、表示部５を表示制御するためのデータを制御マイコン１０に出力するために使われるために、表示データ出力用インターフェースとも言える。
【００１８】
ＩＣチップ２０は、この接触インターフェース２２と外部（本実施形態では非接触通信用アンテナ２）との接続状態と、前述の非接触インターフェース２１と外部（本実施形態では制御マイコン１０）との接続状態とを、排他的に又は非同期で制御している。或いは、ＩＣチップ２０は、データの入出力が互いに排他的になるように非接触インターフェース２１及び接触インターフェース２２を制御している。これによって、接触インターフェース２２は、非接触インターフェース２１と非接触通信用アンテナ２とが電気的に接続されている場合、すなわち、非接触インターフェース２１がデータの入出力を行っている場合には、制御マイコン１０との電気的な接続が禁止される、すなわち、当該接触インターフェース２２のデータの入出力を禁止する。一方、接触インターフェース２２は、非接触インターフェース２１と非接触通信用アンテナ２とが電気的に接続されていない場合、制御マイコン１０との電気的な接続が許可される、すなわち、当該接触インターフェース２２のデータの入出力を許可する。
【００１９】
また、一般的に、デュアルインターフェースカードには、接触通信を優先する方式と最初に通信を行っているものを優先する方式（入ったもの優先の方式）とがある。接触通信を優先する方式は、たとえ非接触インターフェースが外部と通信を行っている最中でも、接触インターフェースが外部と通信を開始すると、非接触インターフェースの通信を無効とする方式である。また、最初に通信を行っているものを優先する方式は、非接触インターフェース及び接触インターフェースのうち最初に通信を開始したインターフェースの当該データの通信状態を維持する方式である。本実施形態では、ＩＣカード１は、後者の、最初に接続しているものを優先する方式を採用している。これによって、例えば、最初に非接触インターフェースが通信を開始すると、具体的には電力が供給されると、当該非接触インターフェースが通信を終了しない限り、当該非接触インターフェースの通信が維持される。つまり、本実施形態では、常に前述の排他的な制御が優先され、非接触インターフェース２１及び接触インターフェース２２の接続状態又はデータの入出力状態が制御される。
【００２０】
ここで、本実施形態では、ＩＣカード１をリーダライタにかざしたタイミングで、非接触通信用アンテナ２は、非接触インターフェース２１への電力の供給を開始し、電源確保用アンテナ３は、整流回路４を介して制御マイコン１０への電力の供給を開始する。これによって、接触インターフェース２２は、制御マイコン１０を介して電力が供給される。本実施形態では、このような状況の下、最初に非接触インターフェース２１が通信を開始するようになる（非接触通信用アンテナ２と電気的に接続されるようになる）。例えば、これは、電源確保用アンテナ３と接触インターフェース２２との間に制御マイコン１０が介在するといった構造上の理由等によって、接触インターフェース２２への電力供給タイミングが、非接触インターフェース２１への電力供給タイミングよりも遅くなるからである。
【００２１】
以上のようなことから、本実施形態では、ＩＣカード１をリーダライタにかざしたタイミングで、非接触通信用アンテナ２と非接触インターフェース２１とが先ず電気的に接続され（非接触インターフェース２１がデータの入出力を開始し）、非接触通信用アンテナ２と非接触インターフェース２１との電気的な接続状態がスイッチ７によって切断されない限り、接触インターフェース２２と制御マイコン１０とは電気的に接続されることがない。
【００２２】
非接触ＯＳ２３は、非接触インターフェース２１から出力されるデータを基に制御及び演算処理等を行う。具体的には、非接触ＯＳ２３は、非接触インターフェース２１から出力されるデータ（電流に変調されているデータ）を処理してメモリ２５に書き込む。ここで、メモリ２５は、例えば、ＲＡＭやＲＯＭ、ＥＥＰＲＯＭ等である。
さらに、非接触ＯＳ２３は、メモリ２５に記憶されたデータに対して予め決められた演算処理（加減算等の演算処理）を施して、その演算処理を施したデータもメモリ２５に書き込む。例えば、非接触ＯＳ２３は、非接触インターフェース２１の出力から入出金データを取得すると、取得した入出金データを用いてメモリ２５に記憶されている残高データに対し必要な加減算を行い最終的な残高データを算出する。
【００２３】
また、非接触ＯＳ２３は、接触インターフェース２２と制御マイコン１０とが電気的に接続された状態では、クロスアクセス機能によって、メモリ２５に記憶されているデータを接触インターフェース２２を介して制御マイコン１０に出力する（掃き出す）。
ここで、クロスアクセス機能とは、非接触インターフェース２１から接触ＯＳ２４へのアクセスを可能とし、さらに、接触インターフェース２２から非接触ＯＳ２３へのアクセスを可能とする機能である。
【００２４】
そして、本実施形態では、このクロスアクセス機能を前提として、制御マイコン１０が、予め設定した時間間隔（例えば５００ｍｓ）で接触インターフェース２２に非接触ＯＳ２３へのクロスアクセスを誘導する指示コマンドを出力する。このようなことから、非接触インターフェース２１と非接触通信用アンテナ２との電気的な接続状態が切断され、排他的な制御によって、接触インターフェース２２と制御マイコン１０とが電気的に接続されると、接触インターフェース２２は、制御マイコン１０からの指示コマンドが入力されたタイミングで非接触ＯＳ２３と制御マイコン１０とを電気的に接続する。
【００２５】
よって、非接触インターフェース２１が外部と電気的に接続された状態では、非接触ＯＳ２３がメモリ２５にデータを書き込む等の処理を実行し、接触インターフェース２２が外部と電気的に接続された状態でも、非接触ＯＳ２３が処理を実行する。そのため、本実施形態では、実際には、接触ＯＳ２４がメモリ２５にデータを書き込む等の処理を実行することはない。すなわち、接触ＯＳ２４は、非接触ＯＳ２３と同様な機能として、接触インターフェース２２から出力される電流を基に制御及び演算処理等を行う機能を有しているが、本実施形態では、そのような処理等を行うことがない。
図２は、本実施形態のＩＣカード１の外観構成の一例を示す図である。
図２に示すように、ＩＣカード１は、薄型カード形状をなしており、表示部５の表示面が外部に露出し、表面に押圧可能に押圧ボタン６が配置されている。
【００２６】
（動作、作用等）
次に、ＩＣカード１における動作、及びその作用等を図３を参照しつつ説明する。図３は、ＩＣカード１における一連の動作を示すフローチャートである。
ＩＣカード１は、リーダライタにかざされると、非接触通信用アンテナ２がリーダライタとの間で非接触無線通信を開始する（ステップＳ１）。これによって、ＩＣカード１では、非接触通信用アンテナ２からのデータが、非接触インターフェース２１を介してＩＣチップ２０内に入力されてメモリ２５に記憶される。また、ＩＣカード１では、非接触無線通信の開始と同時に、リーダライタから電源確保用アンテナ３に供給された電力が制御マイコン１０に入力される。これによって、非接触通信用アンテナ２がリーダライタとの間で非接触無線通信を開始すると同時に、制御マイコン１０が起動される（ステップＳ２）。そして、制御マイコン１０は、接触インターフェース２２に非接触ＯＳ２３へのクロスアクセスを誘導する指示コマンドの出力を開始する。このとき、制御マイコン１０は、指示コマンドの出力を予め設定した時間間隔（例えば５００ｍｓ）で行う。
【００２７】
そして、ＩＣカード１では、押圧ボタン６が押圧されスイッチ７がＯＮに切り換えられると、非接触通信用アンテナ２と非接触インターフェース２１との電気的な接続状態が切断されるために、排他的な接続制御によって、接触インターフェース２２と制御マイコン１０とが電気的に接続される（ステップＳ３、ステップＳ４）。これによって、ＩＣカード１では、制御マイコン１０によって接触インターフェース２２が印加された状態になる。その結果、接触インターフェース２２に対する前記指示コマンドが有効となるために、制御マイコン１０は、クロスアクセスによって、接触インターフェース２２を介してメモリ２５へのアクセスが可能になる（ステップＳ５）。これによって、制御マイコン１０は、メモリ２５に記憶されているデータを基に表示部５の表示制御できるようになる（ステップＳ６）。
【００２８】
また、押圧ボタン６への押圧操作が解除されスイッチ７がＯＦＦになったとしても、制御マイコン１０によるこのような表示部５の表示制御は維持される。これは、ＩＣチップ２０における前述の排他的な制御の下、スイッチ７のＯＦＦによって非接触通信用アンテナ２と非接触インターフェース２１とが電気的に接続されたとしても当該電気的な接続は有効とされず、接触インターフェース２２と制御マイコン１０との電気的な接続が維持されるからである（すなわち、接触インターフェース２２のデータの入出力が有効とされ維持されるからである）。
【００２９】
ここで、前述の実施形態では、非接触インターフェース２１は、例えば、第１インターフェースを構成する。また、接触インターフェース２２は、例えば、第２インターフェースを構成する。また、非接触ＯＳ２３は、例えば、演算処理部を構成する。また、押圧ボタン６及びスイッチ７は、例えば、切り換え部を構成する。ここで、切り換え部は、非接触通信用アンテナから第１インターフェースへのデータの送信の許可と制限（禁止も含む）とを切り換える。また、電源確保用アンテナ３は、例えば、電力伝送用アンテナを構成する。また、制御マイコン１０又は表示制御部１１は、例えば、制御部を構成する。
【００３０】
（本実施形態における効果）
非接触ＯＳ２３は、非接触インターフェース２１から入力されたデータに対し予め設定された演算処理を施してメモリ２５に記憶する。そして、制御マイコン１０は、メモリ２５から取得した非接触ＯＳ２３が演算処理を施したデータを基に表示部５の表示内容を制御する。
これによって、本実施形態では、非接触ＯＳ２３で演算処理されたデータを基に表示部５の表示内容を制御できる。
【００３１】
また、押圧ボタン６及びスイッチ７は、外部からの操作に応じてデータの入出力の許可と禁止の切り換えを行う。
これによって、本実施形態では、使用者が操作することで、使用者が意図するタイミングで表示部５への表示を行うことができる。よって、本実施形態では、使用者は、リーダライタにＩＣカード１をかざしてから押圧ボタン６を押すことで、ＩＣカード１の表示部５に残高等の情報を表示させることができる。
【００３２】
また、表示部５は、不揮発性の表示装置で構成されることで、電力の供給が停止されても表示内容を保持することができる。
これによって、本実施形態では、電力の供給が停止されても、例えば、リーダライタの通信エリアからＩＣカード１が離れても表示部５の表示内容を保持できる。
また、本実施形態では、ＩＣチップ２０としてデュアルチップを流用することができる。そのため、本実施形態では、コストを抑えてＩＣカード１を提供できる。
また、デュアルチップは、ＦｅｌｉＣａ等での高度のセキュリティを実現しているセキュアチップである。そのため、本実施形態のＩＣカード１は、ＩＣチップ２０としてデュアルチップを流用することで、高度なセキュリティを実現することができる。
【００３３】
（本実施形態の変形例）
本実施形態では、ＩＣチップ２０の例としてデュアルチップを挙げている。しかし、ＩＣチップ２０は、デュアルチップに限定されるものではなく、２つのインターフェースを有し、一方が非接触インターフェース２１となり、他方が非接触インターフェース２１と排他的に動作が制御されるインターフェースとなっていれば良い。また、演算処理部２３についても接触ＯＳ及び非接触ＯＳを備えた構成に限られるものではなく、非接触インターフェースから非接触通信でき、非接触インターフェース及び他方のインターフェースの両方からメモリにアクセスできれば良い。
【００３４】
また、本実施形態では、非接触通信用アンテナ２と電源確保用アンテナ３とが一体として構成されても良い。
図４は、その一例となる、非接触通信用アンテナ２が電源確保用アンテナを兼ねている構成例を示す図である。
図４に示すように、非接触通信用アンテナ２は、非接触インターフェース２１に接続され、かつ整流回路４に接続される。これによって、非接触通信用アンテナ２は、整流回路４に電流を供給しながら、スイッチ７のＯＮ及びＯＦＦが切り換えられて非接触インターフェース２１との電気的な接続が断続される。
【００３５】
また、本実施形態では、制御マイコン１０及びＩＣチップ２０の何れかのメモリをデータの演算処理用に使用しても良い。すなわち、前述の実施形態では、ＩＣチップ２０側のデータを演算しメモリ２５に記憶しているが、実施形態の変形例では、制御マイコン１０側でデータを演算し制御マイコン１０のメモリに記憶しても良い。この場合、制御マイコン１０は、接触インターフェース２２と電気的に接続されたタイミングでＩＣチップ２０のメモリ２５から取得したデータを演算処理し、自己のメモリにその演算結果のデータを記憶する。そして、制御マイコン１０は、自己のメモリに記憶したデータを基に表示部５を駆動し表示内容を制御する。
このように、本実施形態では、非接触通信用アンテナが電源確保用アンテナを兼ねることで、部品点数を抑えてＩＣカード１を小型化できる。
【００３６】
また、本実施形態では、ＩＣチップ２０内に制御マイコン１０を含み、ＩＣチップ２０と制御マイコン１０とが一体化されていても良い。
また、本実施形態では、制御マイコン１０は、クロスアクセスを誘導する指示コマンドの出力が予め設定した時間間隔で行っている。この場合に、押圧ボタン６の押圧操作に応じてスイッチ７のＯＮ及びＯＦＦの信号を採用し、制御マイコン１０への入力信号として利用しても良い。
図５は、その一例となる、スイッチ７のＯＮの信号を制御マイコン１０の入力信号として利用した構成例を示す図である。
【００３７】
押圧ボタン６が押圧されスイッチ７がＯＮに切り換えられると、非接触通信用アンテナ２と非接触インターフェース２１との電気的な接続状態が切断される。そして、図５に示すような押圧ボタン６と制御マイコン１０とが電気的に接続されている構成によって、その切断タイミングで、スイッチ７のＯＮの信号（又は押圧ボタン６が押圧操作された信号）が制御マイコン１０に入力される。制御マイコン１０は、このスイッチ７のＯＮの信号を入力信号として利用し、その信号の入力タイミングで、接触インターフェース２２に電圧を印加する（電力を供給する）。これによって、接触インターフェース２２と制御マイコン１０とが電気的に初めて接続される。その結果、接触インターフェース２２に対する前記指示コマンドが有効となるために、制御マイコン１０は、クロスアクセスによって、接触インターフェース２２を介してメモリ２５へのアクセスが可能になる。
【００３８】
また、本実施形態では、表示部５は、ＬＣＤ（Liquid Crystal Display）や等によって構成されても良い。この場合、ＬＣＤ等は、電源供給がなくなると表示が消えてしまうため、コンデンサ等に蓄電しておき電源供給がなくなったらコンデンサからの電流で表示が維持されるようにしても良い。
また、本実施形態では、スイッチ７は、物理スイッチでも良いが、ソフトウェアとして実現されるソフトスイッチでも良い。例えば、本実施形態の変形例では、非接触通信用アンテナ２の共振周波数をシフトさせることで、リーダライタと非接触通信用アンテナ２との間の通信を切断し、非接触通信用アンテナ２と非接触インターフェース２１との電気的な接続状態を切断する。また、このような非接触通信用アンテナ２と非接触インターフェース２１との接続状態の切断は、予め設定された条件を満たしたときに行う。この場合、本実施形態では、適切なタイミングで自動的に表示部５への表示を行うことができる。
【００３９】
ここで、共振周波数をシフトさせる方法として、コンデンサ（数ｐＦ〜数十ｐＦ程度のコンデンサ）をスイッチに並列に接続する方法が挙げられる。また、予め設定された条件として、非接触通信用アンテナ２と非接触インターフェース２１とが電気的に接続された時点から予め設定された時間（例えば１０ｍｓ）が経過したこと、又はリーダライタから読み込んだデータに対する非接触ＯＳ２３の処理（例えばメモリ２５への記憶処理）が終了したこと等が挙げられる。
また、本実施形態は、ＩＣカード１に適用されることに限定されるものではない。例えば、本実施形態は、ＩＣタグや携帯電話に適用されても良い。
【符号の説明】
【００４０】
１  ＩＣカード、２  非接触通信用アンテナ、３  電源確保用アンテナ、４  整流回路、５  表示部、６  押圧ボタン、７  スイッチ、１０  制御マイコン、１１  表示制御部、２０  ＩＣチップ、２１  非接触インターフェース、２２  接触インターフェース、２３  非接触ＯＳ  ２４  接触ＯＳ、２５  メモリ
【図１】
0005957970.tif 000002
【図２】
0005957970.tif 000003
【図３】
0005957970.tif 000004
【図４】
0005957970.tif 000005
【図５】
0005957970.tif 000006